(57)【要約】【課題】スコロトロン帯電器を清掃する帯電器清掃具において、清掃具筐体からの清拭部材の突出を規制する構成を簡易な構造で実現できる帯電器清掃具を提供すること。【解決手段】スコロトロン帯電器を備える画像形成装置におけるグリッド電極を清掃する帯電器清掃具１で、画像形成装置に取り付け可能な清掃具筐体２と、清掃具筐体２から突出可能であると共にグリッド電極を清拭する清拭部材３と、清掃具筐体２の内部で清拭部材３を保持する保持部材４と、保持部材４を清拭部材３の突出方向に付勢する付勢部材５と、付勢部材５により保持部材４が付勢されることによる清掃具筐体２からの清拭部材３の突出を規制する突出規制部材６とを備え、突出規制部材６は、清掃具筐体２から突出方向Ｄ１に突出すると共に、スコロトロン帯電器に形成される第２引掛部に、スコロトロン帯電器がスライド移動されるときに引っ掛かるように形成される第１引掛部６５を有する。【選択図】図７
2009205093.tif 000002
【特許請求の範囲】
【請求項１】
像担持体と、前記像担持体の近傍にスライド可能に配置されると共にコロナ放電ワイヤと該コロナ放電ワイヤを張設状態で収納するケースと該ケースにおける前記像担持体と対向する位置に配置されるグリッド電極とを備えるスコロトロン帯電器と、を備える画像形成装置における前記グリッド電極を清掃する帯電器清掃具であって、
前記画像形成装置に取り付け可能な清掃具筐体と、
前記清掃具筐体から突出可能であると共に含水状態で前記グリッド電極を清拭する清拭部材と、
前記清掃具筐体の内部において前記清拭部材を保持する保持部材と、
前記保持部材を前記清拭部材の突出方向に付勢する付勢部材と、
前記付勢部材により前記保持部材が付勢されることによる前記清掃具筐体からの前記清拭部材の突出を規制する突出規制部材と、を備え、
前記突出規制部材は、前記清掃具筐体から前記突出方向に突出すると共に、前記スコロトロン帯電器に形成される第２引掛部に、前記スコロトロン帯電器がスライド移動されるときに引っ掛かるように形成される第１引掛部を有する帯電器清掃具。
【請求項２】
前記スコロトロン帯電器がスライド移動された場合に、
前記第２引掛部が前記第１引掛部に引っ掛かることで前記突出規制部材による前記清拭部材の突出の規制が解除され、
前記付勢部材により前記保持部材が前記突出方向に移動されることで前記清拭部材が前記突出方向に移動されて前記清掃具筐体から突出し、
前記清掃具筐体から突出した前記清拭部材が前記グリッド電極を清拭する請求項１に記載の帯電器清掃具。
【請求項３】
前記スコロトロン帯電器は、コロナ放電が実質的に行われる放電部と、コロナ放電が実質的に行われない非放電部とを備え、
前記第２引掛部は前記非放電部に設けられている請求項１又は２に記載の帯電器清掃具。
【請求項４】
前記スコロトロン帯電器がスライド移動されることで前記清拭部材が前記放電部に対向する位置に位置する状態において、前記突出規制部材による前記清拭部材の突出の規制が解除される請求項３に記載の帯電器清掃具。
【請求項５】
前記スコロトロン帯電器は、前記像担持体と接触しながら回転することにより該像担持体と前記グリッド電極とのギャップを一定に保持するギャップコロと、を更に備え、
前記ギャップコロは前記非放電部に設けられている請求項３又は４に記載の帯電器清掃具。
【請求項６】
請求項１から５の何れかに記載の帯電器清掃具を、前記清拭部材が、スライド移動される前記スコロトロン帯電器における前記グリッド電極に対向するように取り付け可能な画像形成装置。
【発明の詳細な説明】
【技術分野】
【０００１】
本発明は、画像形成装置にスライド可能に配置されるスコロトロン帯電器におけるグリッド電極を清掃する帯電器清掃具、及び帯電器清掃具が取り付けられた画像形成装置に関する。
【背景技術】
【０００２】
電子写真方式による画像形成装置においては、像担持体である感光体ドラムの周辺に、帯電手段、露光手段、現像手段、転写手段、クリーニング手段等が設けられている。そして、帯電手段によって感光体ドラムに帯電が行われた後、露光手段によって露光が行われて感光体ドラムの表面に静電潜像が形成され、更に現像手段によって現像される。その後、現像されたトナー画像は、転写手段により転写材（一般的には用紙）上に転写され、更に定着手段により定着され、画像形成された転写材が排出部に排出される。感光体ドラムに残留した現像剤は、クリーニング手段によりクリーニングされる。
【０００３】
このような画像形成装置においては、感光体ドラムを一様に帯電する帯電手段としてスコロトロン帯電器が広く用いられている。スコロトロン帯電器は、一般的に、コ字状断面を有するケース内にコロナ放電ワイヤが張設され、感光体ドラムとコロナ放電ワイヤとの間に、感光体ドラムの表面へのコロナ放電電流を規制制御するグリッド電極が設けられている。そして、コロナ放電ワイヤに高電圧を印加することによって、一定の電位を感光体ドラムに付与するようになっている。
【０００４】
ところで、画像形成が行われ、スコロトロン帯電器によって感光体ドラムに帯電が行われる際に、スコロトロン帯電器の周辺では、コロナ放電によりオゾンが発生し、このオゾンによる酸化作用によってイオン生成物が生じる。グリッド電極は、その表面に、このようなイオン生成物、飛散トナー、紙粉などの付着物が付着して汚れやすい。これらの付着物は、一般的に絶縁体であり、このような付着物がグリッド電極に付着した場合、感光体ドラムの表面の帯電が不均一となり、帯電ムラなどの帯電不良が生じる。そして、このような帯電不良により、画像にムラ等が生じ、画像品質が低下する。
【０００５】
従って、スコロトロン帯電器におけるグリッド電極の表面を定期的に清掃して、付着物を除去する必要がある。スコロトロン帯電器の清掃具（以下「帯電器清掃具」ともいう）として、含水可能な清拭部材を備えたものが知られている。含水された清拭部材をグリッド電極の表面に当接させて清掃することにより、グリッド電極に付着した水溶性の付着物を十分に溶解させ、付着物を除去することができる。
【０００６】
しかし、清拭部材をグリッド電極の表面に当接させて清掃を行う場合、清掃中及び清掃後において、清拭部材がグリッド電極の近傍の部材（例えば、後述するギャップコロ）などに接触し、その結果付着した水分により、コロナ放電ワイヤとグリッド電極との間でリークが発生する場合がある。清拭部材と接触しやすい部材としては、例えばギャップコロがある。
【０００７】
スコロトロン帯電器は、感光体ドラムに印加される帯電電位を一定にするために、グリッド電極と感光体ドラムの表面との間の距離を一定に保つ必要があり、ギャップコロは、そのために設けられるものである。ギャップコロは、一般的に、グリッド電極の両端部に設けられた開口部から露出するように、ケース内に配置され、感光体ドラムの表面と当接する。そのため、清拭部材をグリッド電極の表面に当接させて清掃する場合に、清拭部材とギャップコロとが当接しやすく、両者が当接したときには清拭部材が強く圧縮され、清拭部材から水分が流れ出る虞がある。流れ出た水分は、ギャップコロ等を介してコロナ放電ワイヤの近傍にまで到達する虞がある。その場合には、コロナ放電ワイヤに高電圧を印加する際に、流れ出た水分を伝って電流がリークし、コロナ放電ワイヤに高電圧が印加されなくなる場合がある。この状態ではコロナ放電しないため、感光体ドラムはコロナ帯電されることはなく、露光手段による静電潜像の形成は成立しない。また、リークした電流がグリッド電極から感光体ドラムの表面に放電現象を発生させることがあり、この場合には、感光体ドラムの表面が損傷する。以上のような現象の発生によって、画像の品質の不具合が生じる。
【０００８】
そこで、ギャップコロと清拭部材との接触を回避するように構成された帯電器清掃具が知られている（例えば、下記特許文献１参照）。
下記特許文献１記載の帯電器清掃具は、清掃具筐体と、清掃具筐体から突出可能な清拭部材と、清拭部材を保持する保持部材と、保持部材を清拭部材の突出方向に付勢する付勢部材と、清拭部材をスコロトロン帯電器と接触しない位置に待避させる待避機構とを備えている。この退避機構は、スコロトロン帯電器に設けられた突起と、保持部材に設けられた当接部とから構成されている。当接部は、清掃具筐体から突出しており、前記突起に押圧されることにより保持部材を清拭部材の突出方向とは反対方向（以下「反突出方向」ともいう）に移動させる。
【０００９】
【特許文献１】特開２００６−４７３８１号公報
【発明の開示】
【発明が解決しようとする課題】
【００１０】
しかし、特許文献１記載の帯電器清掃具は、前述の通り、待避機構を構成するために、保持部材に、「清掃具筐体から突出しており、突起に押圧されることにより保持部材を反突出方向に移動させる当接部」を具備させており、そのため、帯電器清掃具の構造が複雑となっている。
【００１１】
従って、本発明は、画像形成装置にスライド可能に配置されるスコロトロン帯電器におけるグリッド電極を清拭部材によって清掃する帯電器清掃具において、清拭部材との接触が好ましくない部材が配置された領域において、清掃具筐体からの清拭部材の突出を規制する構成を、簡易な構造で実現することができる帯電器清掃具、及び該帯電器清掃具が取り付けられた画像形成装置を提供することを目的とする。
【課題を解決するための手段】
【００１２】
本発明の帯電器清掃具は、像担持体と、前記像担持体の近傍にスライド可能に配置されると共にコロナ放電ワイヤと該コロナ放電ワイヤを張設状態で収納するケースと該ケースにおける前記像担持体と対向する位置に配置されるグリッド電極とを備えるスコロトロン帯電器と、を備える画像形成装置における前記グリッド電極を清掃する帯電器清掃具であって、前記画像形成装置に取り付け可能な清掃具筐体と、前記清掃具筐体から突出可能であると共に含水状態で前記グリッド電極を清拭する清拭部材と、前記清掃具筐体の内部において前記清拭部材を保持する保持部材と、前記保持部材を前記清拭部材の突出方向に付勢する付勢部材と、前記付勢部材により前記保持部材が付勢されることによる前記清掃具筐体からの前記清拭部材の突出を規制する突出規制部材と、を備え、前記突出規制部材は、前記清掃具筐体から前記突出方向に突出すると共に、前記スコロトロン帯電器に形成される第２引掛部に、前記スコロトロン帯電器がスライド移動されるときに引っ掛かるように形成される第１引掛部を有する帯電器清掃具に関する。
【００１３】
また、前記スコロトロン帯電器がスライド移動された場合に、前記第２引掛部が前記第１引掛部に引っ掛かることで前記突出規制部材による前記清拭部材の突出の規制が解除され、前記付勢部材により前記保持部材が前記突出方向に移動されることで前記清拭部材が前記突出方向に移動されて前記清掃具筐体から突出し、前記清掃具筐体から突出した前記清拭部材が前記グリッド電極を清拭することが好ましい。
【００１４】
また、前記スコロトロン帯電器は、コロナ放電が実質的に行われる放電部と、コロナ放電が実質的に行われない非放電部とを備え、前記第２引掛部は前記非放電部に設けられていることが好ましい。
【００１５】
また、前記スコロトロン帯電器がスライド移動されることで前記清拭部材が前記放電部に対向する位置に位置する状態において、前記突出規制部材による前記清拭部材の突出の規制が解除されることが好ましい。
【００１６】
また、前記スコロトロン帯電器は、前記像担持体と接触しながら回転することにより該像担持体と前記グリッド電極とのギャップを一定に保持するギャップコロと、を更に備え、前記ギャップコロは前記非放電部に設けられていることが好ましい。
【００１７】
本発明の画像形成装置は、前記帯電器清掃具を、前記清拭部材が、スライド移動される前記スコロトロン帯電器における前記グリッド電極に対向するように取り付けた画像形成装置に関する。
【発明の効果】
【００１８】
本発明によれば、清拭部材との接触が好ましくない部材が配置された領域において、清掃具筐体からの清拭部材の突出を規制する構成を、簡易な構造で実現することができる。
【発明を実施するための最良の形態】
【００１９】
以下、図面を参照して本発明の帯電器清掃具及び画像形成装置を実施するための最良の形態を説明する。
図１により、本実施形態の画像形成装置１００の概要について説明する。画像形成装置１００には、本実施形態の帯電器清掃具１が取り付けられる。図１は、画像形成装置１００の概要を示す斜視図である。
【００２０】
図１に示すように、本実施形態の画像形成装置１００は、装置本体１０１と、装置本体１０１の上部に配置される自動原稿搬送ユニット１０２とを備える。装置本体１０１の内部には、画像形成ユニット１０３が配置される。装置本体１０１の下部には、給紙ユニット１０４が配置される。
【００２１】
画像形成ユニット１０３は、像担持体である感光体ドラム１１０及びスコロトロン帯電器１２０の他に、露光手段、現像手段、転写手段、クリーニング手段（いずれも図示せず）などを備えている。スコロトロン帯電器１２０は、感光体ドラム１１０の表面の近傍に、感光体ドラム１１０の長手方向（感光体ドラム１１０の軸方向）にスライド可能に配置される。本実施形態においては、スコロトロン帯電器１２０は、感光体ドラム１１０の下方や上方などに配置されている。なお、感光体ドラム１１０に対するスコロトロン帯電器１２０の配置位置には特に制限はない。
本実施形態の帯電器清掃具１は、画像形成ユニット１０３に取り付けられる。
【００２２】
次に、図２から図５により、スコロトロン帯電器１２０の詳細な構成について説明する。図２は、スコロトロン帯電器１２０の部分分解斜視図である。図３は、ギャップコロ１２６を含むように切断したスコロトロン帯電器１２０及び感光体ドラム１１０の断面図である。図４は、グリッド電極１２４を外した状態のスコロトロン帯電器１２０を開放部側から視た図である。図５は、スコロトロン帯電器１２０の第２引掛部１２１と帯電器清掃具１の第１引掛部６５との位置関係を示す断面図である。
【００２３】
図２から図５に示すように、スコロトロン帯電器１２０は、ケース１２２と、コロナ放電ワイヤ１２３と、グリッド電極１２４と、エンドブロック１２５とを備えている。帯電器清掃具１は、グリッド電極１２４を清掃する帯電器清掃具である。
スコロトロン帯電器１２０は、コロナ放電が実質的に行われる放電部１２０Ａと、コロナ放電が実質的に行われない非放電部１２０Ｂとを備える。
【００２４】
ケース１２２は、一対の側板１２２ａと底板１２２ｂとを備えたコ字状断面形状を有し、上部に開放した開放部を有する。１対の側板１２２ａの上端部には、それぞれ外側に拡がる外縁部１２２ｃが形成されている。ケース１２２は、例えばステンレス合金から形成される。ケース１２２は、コロナ放電ワイヤ１２３を張設状態で収納する。
【００２５】
コロナ放電ワイヤ１２３は、コロナ放電ワイヤを行うためのワイヤであり、ケース１２２の内側に張設されている。コロナ放電ワイヤ１２３の一方の端部（図示せず）は高圧電源に接続されており、コロナ放電ワイヤ１２３に数ｋＶの電圧を印加することによって、コロナ放電ワイヤ１２３からコロナ放電が発生して、被帯電体である感光体ドラム１１０の表面が帯電する。
【００２６】
グリッド電極１２４は、コロナ放電ワイヤ１２３から生じるコロナ放電電流を制御するためのものである。ケース１２２の前記開放部は、感光体ドラム１１０と対向しており、グリッド電極１２４は、前記開放部を覆うように、ケース１２２に載置される。従って、グリッド電極１２４は、感光体ドラム１１０と対向する位置に配置される。
【００２７】
グリッド電極１２４は、実質的に電極として機能する電極部１２４ａと、電極部１２４ａの外側に位置する開口部１２４ｂと、開口部１２４ｂの外側に位置する孔部１２４ｃとを備える。
電極部１２４ａとしては、例えば、ステンレススチール等の薄板をエッチング又は打ち抜き加工することにより形成された網板状のものや、ステンレスやタングステン等の線材を所定の間隔で張設して形成されたものが挙げられる。
【００２８】
エンドブロック１２５は、コロナ放電ワイヤ１２３を固定するためのブロックであり、ケース１２２の両端部にそれぞれ（一対）配置される。エンドブロック１２５は、樹脂成形により形成される。
【００２９】
エンドブロック１２５には、ワイヤ固定部材１２９が設けられる。ワイヤ固定部材１２９は、コロナ放電ワイヤ１２３の張設位置がずれないように、コロナ放電ワイヤ１２３の両端部を固定する。
【００３０】
一対のエンドブロック１２５には、それぞれ略Ｖ字型のリブ１３０が設けられている。リブ１３０は、コロナ放電ワイヤ１２３の固定位置（ワイヤ固定部材１２９の位置）等から、ケース１２２の長手方向内側に離間した位置に配置される。リブ１３０は、コロナ放電ワイヤ１２３をＶ字の谷の部分にコロナ放電ワイヤ１２３を掛けることにより、コロナ放電ワイヤ１２３の高さ等の保持位置を調整する。従って、一対のエンドブロック１２５それぞれにおけるリブ１３０よりもケース１２２の長手方向内側において、コロナ放電ワイヤ１２３は、一定の高さが保持されて張設される。
グリッド電極１２４の電極部１２４ａは、リブ１３０，１３０同士の間に位置する。従って、リブ１３０は、放電部１２０Ａと非放電部１２０Ｂとの境界とほぼ一致する。
【００３１】
エンドブロック１２５におけるリブ１３０よりもケース１２２の長手方向外側には、ギャップコロ１２６が配置されている。つまり、ギャップコロ１２６は非放電部１２０Ｂに設けられる。ギャップコロ１２６は、その両側の軸１２７が２つの軸受１２８ａ，１２８ｂによって、それぞれ軸支されている。
スコロトロン帯電器１２０においては、帯電を安定させるために、電極部１２４ａと感光体ドラム１１０の表面との間の距離を一定に保つ必要がある。ギャップコロ１２６は、電極部１２４ａと感光体ドラム１１０との間の距離を制御するために設けられる。
【００３２】
ギャップコロ１２６は、感光体ドラム１１０と接触しながら回転することにより、感光体ドラム１１０とグリッド電極１２４とのギャップを一定に保持する。ギャップコロ１２６は、グリッド電極１２４の開口部１２４ｂから露出され、感光体ドラム１１０の表面と当接する。これにより、グリッド電極１２４と感光体ドラム１１０の表面との間の距離を一定に保つことができる。
【００３３】
グリッド電極１２４の長手方向端部には、孔部１２４ｃが設けられている。また、エンドブロック１２５には、フック１３１が設けられている。孔部１２４ｃとフック１３１とを係合させることにより、グリッド電極１２４をエンドブロック１２５に固定させることができ、これにより、グリッド電極１２４によりケース１２２の開放部側を覆う状態が保持される。
【００３４】
エンドブロック１２５の上縁部（グリッド電極１２４側の縁部）には、第２引掛部１２１が設けられる。第２引掛部１２１は、エンドブロック１２５の上縁部に設けられた突起からなる。つまり、第２引掛部１２１は非放電部１２０Ｂに設けられる。第２引掛部１２１におけるスコロトロン帯電器１２０の長手方向に沿う位置は、帯電器清掃具１の形状や寸法、スコロトロン帯電器１２０の形状や寸法などに応じて適宜設定される。
【００３５】
次に、図６から図９により、本実施形態の帯電器清掃具１について詳述する。図６は、清掃具筐体２から突出規制部材６が外れた状態の帯電器清掃具１を示す斜視図である。図７は、清掃具筐体２に突出規制部材６が装着された状態の帯電器清掃具１を示す斜視図である。図８は、清掃具筐体２における第１筐体２１を示す斜視図である。図９は、清掃具筐体２における第１筐体２１に仮想的に突出規制部材６が装着された状態を示す斜視図である。
【００３６】
なお、以下の帯電器清掃具１の説明においては、清掃具筐体２から清拭部材３が突出する方向を突出方向Ｄ１（図６から図９における上方向）といい、突出方向の反対方向を反突出方向Ｄ２（図６から図９における下方向）という。また、突出方向Ｄ１側を上方、反突出方向Ｄ２側の下方とする。
【００３７】
図６から図９に示すように、帯電器清掃具１は、清掃具筐体２と、清拭部材３と、保持部材４と、付勢部材５と、突出規制部材６とを備える。
清掃具筐体２は、突出規制部材６以外の帯電器清掃具１を構成する部材のほとんどを内蔵する筐体であり、画像形成装置１００に取り付け可能である。
清掃具筐体２は、第１筐体２１と第２筐体２２とを組み合わせて構成される。清掃具筐体２の内部には、内部空間が形成される。つまり、第１筐体２１及び第２筐体２２は、それぞれ他方の筐体側が開放する凹状空間を有しており、両筐体２１，２２が組み合わさることにより、清掃具筐体２の前記内部空間が形成される。
【００３８】
第１筐体２１の前面側（第２筐体２２とは反対側）には、取り付け部２３が、第１筐体２１の前面から突出して設けられる。画像形成装置１００の画像形成ユニット１０３には、取り付け部２３を嵌合可能な嵌合凹部１０３ａ〔図１０（ａ）参照〕が設けられている。清掃具筐体２は、取り付け部２３を嵌合凹部１０３ａに嵌合させることにより、画像形成ユニット１０３に取り付けることができる。
【００３９】
清掃具筐体２における突出側端面２Ａ（突出方向Ｄ１側の端面）には、開口部２Ｂが形成される。なお、突出側端面２Ａのうち、第１筐体２１側の部分に符号「２１Ａ」を付し、第２筐体２２側の部分に符号「２２Ａ」を付す。開口部２Ｂのうち、第１筐体２１側の部分に符号「２２Ａ」を付し、第２筐体２２側の部分に符号「２２Ｂ」を付す。
【００４０】
図８及び図９に示すように、清拭部材３は、清掃具筐体２から突出可能であると共に含水状態でグリッド電極１２４を清拭する。清拭部材３は、その上部（突出方向Ｄ１側の部位）が略半円柱形状であり、その下部が直方体形状である。清拭部材３は、スライド移動されるスコロトロン帯電器１２０におけるグリッド電極１２４に対向する。清拭部材３は、各種含水部材から形成される。清拭部材３の含水率は、例えば６％〜４０％である。
【００４１】
保持部材４は、清掃具筐体２の内部空間において清拭部材３を保持する。保持部材４は、連結部４１と台座部４２とを備える。連結部４１は、棒状の部材からなり、清拭部材３の下部と台座部４２とを連結する。台座部４２は、突出方向Ｄ１と直交する方向に延びる板状部材からなる。
【００４２】
付勢部材５は、保持部材４を突出方向Ｄ１に付勢する部材であり、本実施形態においては、コイルバネから形成される。付勢部材５は、台座部４２と第１筐体２１における底面２１Ｃの内面側（突出方向Ｄ１側）との間に、圧縮状態で（弾性力が生じるように）配設される。
【００４３】
第１筐体２１の内部（凹状空間）には、一対のストッパ２４が設けられる。一対のストッパ２４は、保持部材４の台座部４２が付勢部材５の付勢力により突出方向Ｄ１に移動する場合に、台座部４２が当接し、それ以上の保持部材４の移動を規制する。そのため、保持部材４に連結された清拭部材３は、清掃具筐体２の突出側端面２Ａから所定高さ突出した状態で固定される。
【００４４】
突出規制部材６は、付勢部材５により保持部材４が付勢されることによる清掃具筐体２からの清拭部材３の突出を規制する。図６に示すように、突出規制部材６は、挿入部６１と、逃げ部６２と、起立部６３とを備える。挿入部６１と起立部６３とは、直角に（Ｌ字状に）連結されている。挿入部６１及び起立部６３は、略矩形の板状部材である。逃げ部６２は、挿入部６１が、挿入部６１における起立部６３とは反対側の端部から起立部６３に向けて凹状に切り欠かれて形成される。突出規制部材６は、例えば樹脂成形、板金加工により形成される。
【００４５】
突出規制部材６は清掃具筐体２に装着することができる。詳細には、清拭部材３を反突出方向Ｄ２に押圧し、台座部４２とストッパ２４とを離間させた状態において、第２筐体２２の背面（第１筐体２１とは反対側の面）に設けられた挿入口（図示せず）から、挿入部６１を清掃具筐体２の内部空間に挿入し、台座部４２とストッパ２４との間に挿入部６１を挿入させる。ここで、挿入部６１には逃げ部６２が設けられているので、挿入部６１は、連結部４１に干渉することなく、起立部６３が第２筐体２２の背面にほぼ当接する位置まで挿入部６１を挿入することができる（図７参照）。図９に示すように、挿入部６１は、ストッパ２４と、付勢部材５により突出方向Ｄ１側に付勢された台座部４２との間に挟持される。ストッパ２４と台座部４２との間に挿入部６１が挿入されることにより、清拭部材３が反突出方向Ｄ２に移動した状態が維持される。
【００４６】
図７に示すように、起立部６３の上端部６４（突出方向Ｄ１側の端部）は、突出規制部材６が清掃具筐体２に装着された状態において、清掃具筐体２の突出側端面２Ａ（突出方向Ｄ１側の端面）から突出方向Ｄ１に突出し、第１引掛部６５を形成する。第１引掛部６５は、清掃具筐体２から突出すると共に、スコロトロン帯電器１２０の第２引掛部１２１に、スコロトロン帯電器１２０がスライド移動されるときに引っ掛かるように形成される（図５及び後述する図１０参照）。
【００４７】
次に、図１０により、本実施形態の帯電器清掃具１の一使用態様（清掃動作）について説明する。図１０は、帯電器清掃具１の一使用態様を順次説明する模式図であり、（ａ）は帯電器清掃具１の第１引掛部６５とスコロトロン帯電器１２０の第２引掛部１２１とが引っ掛かる前の状態を示す図、（ｂ）は、第１引掛部６５と第２引掛部１２１とが引っ掛かっている状態を示す図、（ｃ）は、清掃具筐体２から突出規制部材６が外れた状態を示す図である。
【００４８】
本実施形態の帯電器清掃具１においては、スコロトロン帯電器１２０がスライド移動された場合に、第２引掛部１２１が第１引掛部６５に引っ掛かることで突出規制部材６による清拭部材３の突出の規制が解除される。また、付勢部材５により保持部材４が突出方向Ｄ１に移動されることで清拭部材３が突出方向Ｄ１に移動されて清掃具筐体２から突出しする。そして、清掃具筐体２から突出した清拭部材３がグリッド電極１２４を清拭する。
また、スコロトロン帯電器１２０がスライド移動されることで清拭部材３が放電部１２０Ａに対向する位置に位置する状態において、突出規制部材６による清拭部材３の突出の規制が解除される。
【００４９】
画像形成処理が繰り返し行われることにより、スコロトロン帯電器１２０におけるグリッド電極１２４の表面に、イオン生成物、トナー等の付着物が付着（集積）された場合に、グリッド電極１２４の清掃作業が行われる。
【００５０】
まず、図１及び図１０（ａ）に示すように、画像形成ユニット１０３の前面側（スコロトロン帯電器１２０が引き出される側）における、スコロトロン帯電器１２０の引き出し口の近傍の嵌合凹部１０３ａに、帯電器清掃具１を取り付ける。ここでは、帯電器清掃具１の清掃具筐体２には突出規制部材６が装着されているため、清拭部材３は、清掃具筐体２の突出側端面２Ａから突出していない。
そして、スコロトロン帯電器１２０を、その長手方向にスライドさせ、画像形成ユニット１０３の外部に向けてスライドさせて引き出す。
【００５１】
図１０（ｂ）に示すように、スコロトロン帯電器１２０を引き出し続けると、スコロトロン帯電器１２０の第２引掛部１２１に、帯電器清掃具１における突出規制部材６の第１引掛部６５が引っ掛かる。
【００５２】
なお、ここまでにおいては、帯電器清掃具１の清拭部材３が、ギャップコロ１２６等のスコロトロン帯電器１２０を構成する部材と接触することはなく、清拭部材３に含有されている水分がギャップコロ１２６等に付着することはない。
【００５３】
図１０（ｃ）に示すように、第２引掛部１２１に第１引掛部６５に引っ掛かった状態から、スコロトロン帯電器１２０を更に引き出すと、第１引掛部６５は、第２引掛部１２１によって、スコロトロン帯電器１２０の引き出し方向に押圧される。その結果、突出規制部材６の挿入部６１は、清掃具筐体２の挿入口から抜き出される。
【００５４】
挿入部６１は、前述したように、ストッパ２４と保持部材４の台座部４２との間に挿入され、台座部４２とストッパ２４との離間させている。従って、突出規制部材６の挿入部６１が清掃具筐体２の挿入口から抜き出されることにより、保持部材４の台座部４２は、付勢部材５の付勢力により清拭部材３の突出方向Ｄ１に付勢されて移動し、ストッパ２４に当接する。
【００５５】
そして、保持部材４に連結された清拭部材３も突出方向Ｄ１に付勢されて移動する結果、清掃具筐体２の突出側端面２Ａよりも内側に位置していた清拭部材３が、開口部２Ｂを介して突出側端面２Ａよりも外側に突出する。そのため、帯電器清掃具１の清拭部材３がスコロトロン帯電器１２０のグリッド電極１２４に接触する。そして、清拭部材３により、グリッド電極１２４に付着したイオン生成物、トナー等の付着物が拭き取られる。
【００５６】
グリッド電極１２４の付着物を拭き取った後、突出規制部材６が外れた状態の帯電器清掃具１を画像形成ユニット１０３から取り外して、帯電器清掃具１によるグリッド電極１２４の清掃作業が完了する。引き出されたスコロトロン帯電器１２０は、画像形成ユニット１０３の内部に押し込まれて、所定の位置に戻される（セットされる）。
【００５７】
本実施形態の帯電器清掃具１によれば、下記の効果が奏される。
本実施形態の帯電器清掃具１においては、清掃具筐体２からの清拭部材３の突出を規制する突出規制部材６を備え、突出規制部材６は、清掃具筐体２から突出方向Ｄ１に突出する第２引掛部１２１に、スコロトロン帯電器１２０がスライド移動されるときに引っ掛かるように形成される第１引掛部６５を有する。そのため、突出規制部材６が清掃具筐体２に装着されている状態では、清拭部材３は清掃具筐体２から突出しておらず、清拭部材３は、清拭部材３との接触が好ましくない部材（例えば、ギャップコロ１２６）と接触しない。
【００５８】
一方、突出規制部材６が清掃具筐体２から外れ、清拭部材３の突出の規制が解除されると、清拭部材３が清掃具筐体２から突出し、グリッド電極１２４との接触が可能となる。そのため、グリッド電極１２４の清掃を行うことができる。
そして、本実施形態の帯電器清掃具１は、このような清拭部材３の突出を規制し又は規制を解除する構成を、主として、清掃具筐体２とは着脱自在な突出規制部材６を利用することにより実現している。
従って、本実施形態の帯電器清掃具１によれば、清拭部材３との接触が好ましくない部材が配置された領域において、清掃具筐体２からの清拭部材３の突出高さを低くできる構成を、簡易な構造で実現することができる。
【００５９】
また、スコロトロン帯電器１２０における第２引掛部１２１は非放電部１２０Ｂに設けられているため、第２引掛部１２１の位置を適宜設定することにより、例えば、清拭部材３が放電部１２０Ａに対向する位置に位置する状態において突出規制部材６による清拭部材３の突出の規制が解除されるように設定することにより、清拭部材３が放電部１２０Ａに進入すると直ちに、突出規制部材６が清掃具筐体２から外れ、清拭部材３が清掃具筐体２から突出する構成を実現することができる。このような構成によれば、非放電部１２０Ｂにおいて清拭部材３が清掃具筐体２から突出することがないと共に、放電部１２０Ａの端部の位置から、清拭部材３によりグリッド電極１２４を清掃することができる。
【００６０】
以上、本発明の好適な実施形態について説明したが、本発明は上述した実施形態に限定されることなく種々の形態で実施することができる。
例えば、付勢部材５は、前記実施形態においては、コイルバネから構成されているが、これに制限されない。
【００６１】
前記実施形態においては、突出規制部材６により清拭部材３の突出が規制されている状態において、清拭部材３は、清掃具筐体２の突出側端面２Ａよりも内側に位置しているが、これに制限されず、突出規制部材６により清拭部材３の突出が規制されている状態において、本発明の効果を阻害しない範囲で、清拭部材３が清掃具筐体２の突出側端面２Ａよりも若干外側に突出していてもよい。
【００６２】
スコロトロン帯電器１２０は、感光体ドラム１１０の表面を帯電させるための帯電器に限定されず、転写チャージャ、分離チャージャ等の、電子写真方式による画像形成装置に用いられる種々の帯電器として使用することができる。
画像形成装置１００の種類は、特に制限されず、コピー機、プリンタ、ファクシミリ、又はこれらの複合機などでもよい。
【図面の簡単な説明】
【００６３】
【図１】画像形成装置１００の概要を示す斜視図である。
【図２】スコロトロン帯電器１２０の部分分解斜視図である。
【図３】ギャップコロ１２６を含むように切断したスコロトロン帯電器１２０及び感光体ドラム１１０の断面図である。
【図４】グリッド電極１２４を外した状態のスコロトロン帯電器１２０を開放部側から視た図である。
【図５】スコロトロン帯電器１２０の第２引掛部１２１と帯電器清掃具１の第１引掛部６５との位置関係を示す断面図である。
【図６】清掃具筐体２から突出規制部材６が外れた状態の帯電器清掃具１を示す斜視図である。
【図７】清掃具筐体２に突出規制部材６が装着された状態の帯電器清掃具１を示す斜視図である。
【図８】清掃具筐体２における第１筐体２１を示す斜視図である。
【図９】清掃具筐体２における第１筐体２１に仮想的に突出規制部材６が装着された状態を示す斜視図である。
【図１０】帯電器清掃具１の一使用態様を順次説明する模式図であり、（ａ）は帯電器清掃具１の第１引掛部６５とスコロトロン帯電器１２０の第２引掛部１２１とが引っ掛かる前の状態を示す図、（ｂ）は、第１引掛部６５と第２引掛部１２１とが引っ掛かっている状態を示す図、（ｃ）は、清掃具筐体２から突出規制部材６が外れた状態を示す図である。
【符号の説明】
【００６４】
１……帯電器清掃具、２……清掃具筐体、３……清拭部材、４……保持部材、５……付勢部材、６……突出規制部材、６５……第１引掛部、１００……画像形成装置、１１０……感光体ドラム（像担持体）、１２０……スコロトロン帯電器、１２０Ａ……放電部、１２０Ｂ……非放電部、１２１……第２引掛部、１２２……ケース、１２３……コロナ放電ワイヤ、１２４……グリッド電極、１２６……ギャップコロ、Ｄ１……突出方向
【図１】
2009205093.tif 000003
【図２】
2009205093.tif 000004
【図３】
2009205093.tif 000005
【図４】
2009205093.tif 000006
【図５】
2009205093.tif 000007
【図６】
2009205093.tif 000008
【図７】
2009205093.tif 000009
【図８】
2009205093.tif 000010
【図９】
2009205093.tif 000011
【図１０】
2009205093.tif 000012